(57)【特許請求の範囲】
【請求項１】
ノズル口を閉じるニードルを有するノズルが、加熱筒の先端部材に周方向に調整可能に取付手段で取り付けられた射出成形機のノズル装置において、
上記取付手段は、先端部材のおねじ部に螺着されたナット構造の締付リングと、
該締付リングをノズル側に締め付けてノズルと締付リングとの間に締付隙間を形成した状態で締付リングと先端部材及びノズルを一体に固定する複数本の締付ボルトとを備え、  該締付ボルトを締め込んでノズルと締付リングを固定した状態で前記ノズルと先端部材を一体に固定し且つ締付ボルトを緩めた状態で前記ノズルを前記締付リングと一諸に前記先端部材に対して回動可能としたことを特徴とする射出成形機のノズル装置。
【請求項２】
ノズル口を閉じるニードルを有するノズルが、加熱筒の先端部材に周方向に調整可能に取付手段で取り付けられた射出成形機のノズル装置において、
上記取付手段は、ノズルのおねじ部に螺着されたナット構造の締付リングと、
該締付リングを加熱筒側に締め付けて加熱筒とノズル及び締付リングの間に締付隙間を形成した状態でノズルと先端部材及び締付リングを一体に固定する複数本の締付ボルトとを備え、
該締付ボルトを締め込んで締付リングと加熱筒を固定した状態で前記ノズルと先端部材を一体に固定し且つ締付ボルトを緩めた状態で前記ノズルを前記締付リングと一諸に前記先端部材に対して回動可能としたことを特徴とする射出成形機のノズル装置。
【請求項３】
ノズル口を閉じるニードルを有するノズルが、加熱筒の先端部材に周方向に調整可能に取付手段で取り付けられた射出成形機のノズル装置において、
上記取付手段は、ノズルに近づくにしたがって径を大きくした先端部材のテーパ部に嵌合された締付リングと、
該締付リングをノズル側に締め付けてノズルと締付リングとの間に締付隙間を形成した状態で締付リングと先端部材及びノズルを一体に固定する複数本の締付ボルトとを備え、
該締付ボルトを締め込んでノズルと締付リングを固定した状態で前記ノズルと先端部材を一体に固定し且つ締付ボルトを緩めた状態で前記ノズルを前記締付リングと一諸に前記先端部材に対して回動可能としたことを特徴とする射出成形機のノズル装置。
【請求項４】
ノズル口を閉じるニードルを有するノズルが、加熱筒の先端部材に周方向に調整可能に取付手段で取り付けられた射出成形機のノズル装置において、
上記取付手段は、加熱筒に近づくにしたがって径を大きくしたノズルのテーパ部に嵌合された締付リングと、
該締付リングを加熱筒側に締め付けて加熱筒とノズル及び締付リングとの間に締付隙間を形成した状態でノズルと先端部材及び締付リングを一体に固定する複数本の締付ボルトとを備え、
該締付ボルトを締め込んで締付リングと加熱筒を固定した状態で前記ノズルと先端部材を一体に固定し且つ締付ボルトを緩めた状態で前記ノズルを前記締付リングと一諸に前記先端部材に対して回動可能としたことを特徴とする射出成形機のノズル装置。
【請求項５】
締付リングに締付ボルトが螺着されるねじ孔が形成され、ノズル又は加熱筒に締付ボルトが挿通される透孔が形成されたことを特徴とする請求項１ないし４のいずれか１つに記載の射出成形機のノズル装置。
【請求項６】
締付リングに締付ボルトが挿通される透孔が形成され、ノズル又は加熱筒に締付ボルトが螺着されるねじ孔が形成されたことを特徴とする請求項１ないし４のいずれか１つに記載の射出成形機のノズル装置。
【発明の詳細な説明】
【０００１】
【発明の属する技術分野】
本発明は、射出成形機の加熱筒に装着されるノズル装置に関するものである。
【０００２】
【従来の技術】
射出成形機においては、溶融樹脂がノズル口から外部に洩れるのを防ぐため、或いは特に安定した計量を得たい等の理由により、ノズル口を閉じるニードルをノズルに備えたノズル装置（一般にはニードルノズル装置）が使用されている。
【０００３】
図５ないし図７は従来の射出成形機のノズル装置を示すもので、このノズル装置は、先端部材１とノズル２を備えている。先端部材１は、外周部に複数のねじ孔１ａ（図５では１個しか示されていない。）を有し、おねじ部１ｂを加熱筒４のねじ孔４ａに螺着して加熱筒４に着脱自在に取り付けられている。複数のねじ孔１ａは等間隔で環状に配設されている。
【０００４】
ノズル２は、胴体６と、ノズル本体７と、挿入ブロック８と、口金９と、ニードル１０と、回動レバー１１とによって構成されている。胴体６は、外周部に、先端部材１のねじ孔１ａと同数（１２個）の透孔６ａを各ねじ孔１ａにそれぞれ対向して有し、挿入ブロック８が挿入される挿入孔６ｂに先端部材１の嵌入部１ｃを嵌め入れた状態で、各透孔６ａに挿通された各締付ボルト１３を先端部材１の各ねじ孔１ａにそれぞれ螺着して先端部材１に着脱自在に取り付けられるようになっている。胴体６の挿入孔６ｂと嵌入部１ｃは、断面円形の胴体６と先端部材１の中心に円形に形成されている。したがって、すべての締付ボルト１３を各ねじ孔１ａからそれぞれ引き抜いて胴体６を先端部材１に対して回動させることができる。
【０００５】
ノズル本体７は、ノズル口７ａを有し、胴体６のねじ孔６ｃにおねじ部７ｂを螺着して胴体６に着脱自在に取り付けられている。また口金９は、軸孔９ａを有し、挿入ブロック８のねじ孔８ａにおねじ部９ｂを螺着して挿入ブロック８に着脱自在に取り付けられている。
【０００６】
ニードル１０は、先端１０ａでノズル口７ａを閉じるものであり、基端の係止孔１０ｂを挿入ブロック８の中心孔８ｂに配して口金９の軸孔９ａに軸方向に移動自在にかつ液密に挿通されている。
【０００７】
回動レバー１１は、ニードル１０をノズル口７ａに対して進退させるもので、一端１１ａをニードル１０の係止孔１０ａに係止するとともに、他端１１ｂを胴体６の外部に突き出して挿入ブロック８に枢軸１４を中心に回動自在に取り付けられている。回動レバー１１の他端１１ｂには、回動レバー１１を枢軸１４を中心に回動させる牽引ロッド１５がピン１６で連結されている。
【０００８】
上記の構成とされたノズル装置は、計量工程において、シリンダや電磁石或いはモータ等の駆動源（図示せず）により牽引ロッド１５を牽引して回動レバー１１を回動させることにより、ニードル１０を前進させて図５のようにノズル口７ａを閉じ、また射出工程においては、回動レバー１１の逆回動でニードル１０を後退させることによりノズル口７ａを開け、そのノズル口７ａから溶融樹脂を金型１８（図９）の成形キャビティに射出する。
【０００９】
【発明が解決しようとする課題】
ところで、加熱筒４にノズル装置を最初に装着する場合、胴体６の外部に突出した回動レバー１１や牽引ロッド１５が、図８と図９のように固定盤１９の孔壁１９ａに接触しないように、胴体６を先端部材１に対して周方向に回動させて、回動レバー１１を、例えば図７の（イ）、（ロ）、又は（ハ）のように、透孔６ａ（ねじ孔１ａ）のピッチの整数倍動かし、締付ボルト１３で胴体６を固定する必要がある。
【００１０】
従来のノズル装置の構造では、上記のように、回動レバー１１の位置調整を透孔６ａのピッチの整数倍で段階的に行うことができるが、ピッチの中間で無段階に行うことができないため、固定盤１９の孔壁１９ａの形状、或いは牽引ロッド１５を動かす駆動源や周囲の付属部材の位置等によっては、回動レバー１１を最良位置に調整することができないという問題点がある。また、調整にはすべての締付ボルト１３をねじ孔１ａから引き抜かなければならず、位置調整に手間がかかる。
【００１１】
本発明は、加熱筒の中心軸線を中心とするノズルの周方向位置を無段階で微調整することができる射出成形機のノズル装置を提供することを目的とする。
本発明の他の目的は、ノズルの周方向位置の調整操作が簡単な射出成形機のノズル装置を提供することである。
【００１２】
【課題を解決するための手段】
上記の少なくとも１つの目的を達成するために、請求項１記載の発明は、ノズル口を閉じるニードルを有するノズルが、加熱筒の先端部材に周方向に調整可能に取付手段で取り付けられた射出成形機のノズル装置において、上記取付手段は、先端部材のおねじ部に螺着されたナット構造の締付リングと、該締付リングをノズル側に締め付けてノズルと締付リングとの間に締付隙間を形成した状態で締付リングと先端部材及びノズルを一体に固定する複数本の締付ボルトとを備え、締付ボルトを締め込んでノズルと締付リングを固定した状態で前記ノズルと先端部材を一体に固定し且つ締付ボルトを緩めた状態で前記ノズルを前記締付リングと一諸に前記先端部材に対して回動可能とした構成とした。
【００１３】
この手段では、ノズルの周方向位置を調整するには、すべての締付ボルトを緩めてノズルを先端部材に対して締付リングと一緒に回動させ、すべての締付ボルトを締め付けて締付リングと先端部材及びノズルを一体に固定する。
【００１４】
請求項２記載の発明は、ノズル口を閉じるニードルを有するノズルが、加熱筒の先端部材に周方向に調整可能に取付手段で取り付けられた射出成形機のノズル装置において、上記取付手段は、ノズルのおねじ部に螺着されたナット構造の締付リングと、該締付リングを加熱筒側に締め付けて加熱筒とノズル及び締付リングの間に締付隙間を形成した状態でノズルと先端部材及び締付リングを一体に固定する複数本の締付ボルトとを備え、締付ボルトを締め込んで締付リングと加熱筒を固定した状態で前記ノズルと先端部材を一体に固定し且つ締付ボルトを緩めた状態で前記ノズルを前記締付リングと一諸に前記先端部材に対して回動可能とした構成とした。
【００１５】
この手段では、ノズルの周方向位置を調整するには、すべての締付ボルトを緩めてノズルを締付リングに対して回動させ、すべての締付ボルトを締め付けてノズルと先端部材及び締付リングを一体に固定する。
【００１６】
請求項３記載の発明は、ノズル口を閉じるニードルを有するノズルが、加熱筒の先端部材に周方向に調整可能に取付手段で取り付けられた射出成形機のノズル装置において、上記取付手段は、ノズルに近づくにしたがって径を大きくした先端部材のテーパ部に嵌合された締付リングと、該締付リングをノズル側に締め付けてノズルと締付リングとの間に締付隙間を形成した状態で締付リングと先端部材及びノズルを一体に固定する複数本の締付ボルトとを備え、締付ボルトを締め込んでノズルと締付リングを固定した状態で前記ノズルと先端部材を一体に固定し且つ締付ボルトを緩めた状態で前記ノズルを前記締付リングと一諸に前記先端部材に対して回動可能とした構成とした。
【００１７】
この手段では、ノズルの周方向位置を調整するには、請求項１記載の発明と同様に、すべての締付ボルトを緩めてノズルを締付リングと一緒に先端部材に対して回動させ、すべての締付ボルトを締め付けて締付リングと先端部材及びノズルを一体に固定する。
【００１８】
請求項４記載の発明は、ノズル口を閉じるニードルを有するノズルが、加熱筒の先端部材に周方向に調整可能に取付手段で取り付けられた射出成形機のノズル装置において、上記取付手段は、加熱筒に近づくにしたがって径を大きくしたノズルのテーパ部に嵌合された締付リングと、該締付リングを加熱筒側に締め付けて加熱筒とノズル及び締付リングとの間に締付隙間を形成した状態でノズルと先端部材及び締付リングを一体に固定する複数本の締付ボルトとを備え、締付ボルトを締め込んで締付リングと加熱筒を固定した状態で前記ノズルと先端部材を一体に固定し且つ締付ボルトを緩めた状態で前記ノズルを前記締付リングと一諸に前記先端部材に対して回動可能とした構成とした。
【００１９】
この手段では、ノズルの周方向位置を調整するには、請求項２記載の発明と同様に、すべての締付ボルトを緩めてノズルを締付リングに対して回動させ、すべての締付ボルトを締め付けてノズルと先端部材及び締付リングを一体に固定する。
締付リングは、ノズルのテーパ部への嵌付けを容易にするために、通常二つ割り状とされる。
【００２０】
請求項１ないし４のいずれか１つに記載の射出成形機のノズル装置において、締付リングに締付ボルトが螺着されるねじ孔を形成し、ノズル又は加熱筒に締付ボルトが挿通される透孔を形成することも（請求項５）、また締付リングに締付ボルトが挿通される透孔を形成し、ノズル又は加熱筒に締付ボルトが螺着されるねじ孔を形成することもできる（請求項６）。
【００２１】
請求項１ないし６記載の射出成形機のノズル装置において、先端部材を加熱筒に一体に設けることも、着脱自在に取り付けることもできる。また、複数本の締付ボルトは、一般には環状に同一ピッチで配設するが、同一ピッチとしない場合もある。
【００２２】
【発明の実施の形態】
発明の実施の形態を添付図面を参照して説明する。
図１と図２は本発明に係る射出成形機のノズル装置の第１の実施の形態を示す。このノズル装置は、胴体６に同一ピッチで形成された透孔６ａと同数のねじ孔２１ａを各透孔６ａと同一位置に形成した締付リング２１が、中心のねじ孔２１ｂを先端部材１のおねじ部１ｄに螺着して先端部材１に取り付けられており、胴体６の透孔６ａに挿通された各締付ボルト１３を各ねじ孔２１ａにそれぞれ螺着して締付リング２１を胴体６側に締め付けることにより、ノズル２と締付リング２１との間に締付隙間ｃを形成した状態で締付リング２１と先端部材１及びノズル２を一体に結合することができるようになっている。
【００２３】
このノズル装置においては、加熱筒４とニードル１０の中心軸線を中心とする回動レバー１１の周方向の位置を調整するには、すべての締付ボルト１３を緩めて締付リング２１と先端部材１及びノズル２の結合を解いてから、ノズル２を締付リング２１と一緒に先端部材１に対して回動させ、回動レバー１１を望む位置につける。その後、すべての締付ボルト１３を締め付けて締付リング２１と先端部材１及びノズル２を一体に結合する。
【００２４】
このように、回動レバー１１の周方向の位置調整を締付ボルト１３の配置ピッチに関係なく無段階で行うことができ、しかも、各締付ボルト１３を緩めるだけでねじ孔２１ａからわざわざ引き抜かずに至極簡単に微調整することができる。
【００２５】
透孔６ａとねじ孔２１ａは同一ピッチとしない場合もある。また、胴体６の透孔６ａをねじ孔ににするとともに、締付リング２１のねじ孔２１ａを透孔にしたり、或いは締付リング２１のねじ孔２１ａも胴体６の透孔６ａと同様に透孔にし、締付ボルト１３にナットを螺着して締め付けるように設計変更しても同一の効果を期待することができる。
上記以外の構造及び作用は、図５〜図７の従来のノズル装置と同じであるので、同一の部材等に同一の符号を付して説明を省略する。
【００２６】
図３は本発明に係る射出成形機のノズル装置の第２の実施の形態を示す。
このノズル装置の場合は、外周部に複数の透孔２２ａを同一ピッチで形成した締付リング２２が、中心のねじ孔２２ｂを胴体６のおねじ部ｄに螺着して胴体６に取り付けられており、各透孔２２ａに挿通された締付ボルト１３を加熱筒４に形成されたねじ孔４ｂにそれぞれ螺着して締付リング２２を加熱筒４側に締め付けることにより、加熱筒４とノズル２及び締付リング２２の間に締付隙間ｃを形成した状態でノズル２と先端部材１及び締付リング２２を一体に結合する構造とされている。
なお、先端部材１は加熱筒４の嵌着孔４ｃに着脱自在に嵌め付けられている。
【００２７】
このノズル装置においては、回動レバー１１の周方向位置を調整するには、図１のノズル装置と同様に、すべての締付ボルト１３を緩めてノズル２と先端部材１及び締付リング２２の結合を解き、ノズル２を先端部材１に対して回動させて回動レバー１１を望む位置につけてから、すべての締付ボルト１３を締め付けてノズル２と先端部材１及び締付リング２２を一体に固定する。
【００２８】
図４は本発明に係る射出成形機のノズル装置の第３の実施の形態を示す。
この装置は、外周部に複数のねじ孔２３ａを環状に同一ピッチで形成した締付リング２３が、ノズル２に近づくにしたがって径を大きくしたテーパ孔２３ｂに、これと同じようにノズル２に近づくにしたがって径を大きくした先端部材１のテーパ部１ｅを嵌挿して先端部材１に取り付けられており、胴体６の透孔６ａに挿通された各締付ボルト１３を各ねじ孔２３ａにそれぞれ螺着して締付リング２３を胴体６側に締め付けることにより、ノズル２と締付リング２３との間に締付隙間ｃを形成した状態で締付リング２３と先端部材１及びノズル２を一体に結合することができるようにされている。
【００２９】
このノズル位置においても、回動レバー１１の周方向位置を調整する場合、すべての締付ボルト１３を緩めてノズル２を締付リング２３と一緒に先端部材１に対して回動させることは図１のノズル装置と同じである。
【００３０】
図３のノズル装置の胴体６のおねじ部６ｄを、加熱筒４に近づくにしたがって径を大きくしたテーパ部に変更する一方、締付リング２２のねじ孔２２ｂも上記のテーパ部と同じように加熱筒４に近づくにしたがって径が大きくなるテーパ孔に変更することができる。この第４の実施の形態においては、胴体６のテーパ部に対する締付リング２２の嵌付けを容易、若しくは可能にするために、締付リング２２は、通常半割り構造とされる。
【００３１】
第２ないし第４の実施の形態のノズル装置においても、図１のノズル装置と同一の作用効果が得られることは説明するまでもない。
また、図３〜図５のノズル装置の他の構造及び作用は、図１のノズル装置と同様に図５の従来のノズル装置と同じである。
また、図３〜図５のノズル装置の透孔やねじ孔等を、図１のノズル装置と同じように設計変更することができる。
【００３２】
本発明において、ノズル２の構造と締付ボルト１３の使用本数等は図のものに限られるものではなく任意である。
【００３３】
【発明の効果】
以上説明したように、本発明によれば、加熱筒の中心軸線を中心とするノズルの周方向位置を無段階に微調整することができる射出成形機のノズル装置を提供することができる。
また、締付ボルトをねじ孔から引き抜かずに緩めるだけでノズルの周方向位置を調整することができる、操作性のよい射出成形機のノズル装置を提供することができる。
【図面の簡単な説明】
【図１】  本発明に係る射出成形機のノズル装置の第１の実施の形態を示す断面図である。
【図２】  図１のノズル装置の分解断面図である。
【図３】  本発明に係る射出成形機のノズル装置の第２の実施の形態を示す断面図である。
【図４】  本発明に係る射出成形機のノズル装置の第３の実施の形態を示す断面図である。
【図５】  従来の射出成形機のノズル装置の断面図である。
【図６】  ニードルの平面図である。
【図７】  図５のノズル装置を左から右に見た図である。
【図８】  ノズル装置と固定盤の関係例を示す図である。
【図９】  同じく、断面図である。
【符号の説明】
１  先端部材                      １ｅ  テーパ部
２  ノズル                        ４  加熱筒
４ｂ，２１ａ，２１ｂ，２２ｂ，２３ａ  ねじ孔
６  胴体                          ６ａ，２２ａ  透孔
６ｄ  おねじ部                    ７  ノズル本体
７ａ  ノズル口                    ８  挿入ブロック
１０  ニードル                    １０ａ  先端
１０ｂ  係止孔                    １１  回動レバー
１３  締付ボルト                  １４  枢軸
２１，２２，２３  締付リング      ２３ｂ  テーパ部
ｃ  締付隙間
【図１】
0004106806.tif 000002
【図２】
0004106806.tif 000003
【図３】
0004106806.tif 000004
【図４】
0004106806.tif 000005
【図５】
0004106806.tif 000006
【図６】
0004106806.tif 000007
【図７】
0004106806.tif 000008
【図８】
0004106806.tif 000009
【図９】
0004106806.tif 000010